(57)【要約】      （修正有）【課題】あらかじめ設定された工程表に基づく建築現場における各工種のうち、次に実施する工種に必要な建築用資材の発注における発注手配上の煩雑さを回避し、かつ発注に伴う過誤を防止することができる建物の建築用資材の発注システムを提供する。【解決手段】電子メール機能、撮像機能および人工衛星Ｓからの電波を受けて地球上の現在位置を測定するシステムであるＧＰＳ（Ｇｌｏｂａｌ  Ｐｏｓｉｔｉｏｎｉｎｇ  Ｓｙｓｔｅｍ）機能を有する携帯型の端末手段１０を用いて、次に実施する工種に必要な建築用資材を、人手を介することなく自動的に発注するシステム。【選択図】図１
2014049106.tif 000002
【特許請求の範囲】
【請求項１】
少なくとも電子メール機能、撮像機能及びＧＰＳ機能を備え、建築工事の現場において前記ＧＰＳ機能により時刻情報及び前記建築工事の施工現場の位置情報を取得して送信し、前記撮像機能により前記建築工事の施工現場のジオコードが付加された写真データを各工程ごとに取得して送信するための、前記建築工事の現場を監督する現場監督者が所持する携帯型の端末手段１０と、
前記端末手段より送信された前記位置情報とあらかじめ登録された前記建築工事の現場の位置データとが一致するか近似値があるか否かを判定して、一致するか近似値がある場合は顧客情報を前記端末手段に送信し、かつ前記端末手段より送信された前記写真データに付加された前記ジオコードを分析して前期位置情報と一致するか否かを判定して、一致する場合には前記写真データを受け付けて保存すると共に、前記建築工事において実施される各工種に夫々使用される建築用資材の発注データを登録し、前記写真データを受け付けた場合に、登録された前記発注データに基づき１つの工種の次に実施する工種に使用される前記建築用資材を発注する旨の電子メールを送信し、前記電子メールを受信した者の要求に対して閲覧可能である、前記電子メールにより発注された前記建築用資材を示す発注書ファイルを有する写真データ分析・発注データ管理サーバ手段１００とを備えたことを特徴とする建物の建築用資材の発注システム。
【請求項２】
撮像機能の他にＧＰＳ機能及び送信機能を備え、建築工事の現場において前記ＧＰＳ機能及び送信機能により時刻情報及び前記建築工事の施工現場の位置情報を取得して送信し、前記撮像機能及び前記送信機能により前記建築工事の施工現場のジオコードが付加された写真データを各工程ごとに取得して送信するためのカメラ手段及び少なくとも電子メール機能を備えた携帯型の端末手段であって、前記建築工事の現場を監督する現場監督者が所持するものと、
前記カメラ手段により送信された前記位置情報とあらかじめ登録された前記建築工事の現場の位置データとが一致するか近似値があるか否かを判定して、一致するか近似値がある場合は顧客情報を前記端末手段に送信し、かつ前記カメラ手段より送信された前記写真データに付加された前記ジオコードを分析して前期位置情報と一致するか否かを判定して、一致する場合には前記写真データを受け付けて保存すると共に、前記建築工事において実施される各工種に夫々使用される建築用資材の発注データを登録し、前記写真データを受け付けた場合に、登録された前記発注データに基づき１つの工種の次に実施する工種に使用される前記建築用資材を発注する旨の電子メールを送信し、前記電子メールを受信した者の要求に対して閲覧可能である、前記電子メールにより発注された前記建築用資材を示す発注書ファイルを有する写真データ分析・発注データ管理サーバ手段１００とを備えたことを特徴とする建物の建築用資材の発注システム。
【発明の詳細な説明】
【発明の詳細な説明】
【技術分野】
【０００１】  本発明は、建物の建築用資材の発注システムに係り、特にあらかじめ設定された工程表に基づく建築現場における各工種のうち、次に実施する工種に必要な建築用資材を、電子メール機能、撮像機能および人工衛星からの電波を受けて地球上の現在位置を測定するシステムであるＧＰＳ（Ｇｌｏｂａｌ  Ｐｏｓｉｔｉｏｎｉｎｇ  Ｓｙｓｔｅｍ）機能を有する携帯型の端末手段を用いて、人手を介することなく自動的に発注することにより、発注手配上の煩雑さを回避し、かつ発注に伴う過誤を防止することができる画期的な建物の建築用資材の発注システムに関する。
【背景技術】
【０００２】  従来より、建物の建築工事は、建築依頼者（施主）と建築供給者との間で締結された建築請負契約に基づき、建物の設計図面の作成が完了した後、改めて作成された建築工事の詳細な工程表が、建築供給者より提出され、これに対する建築依頼者の承認を得て着工される。【０００３】そこで、建物の建築が着工されると、建築工事の各工種の進行については、建築現場の工事を監督する現場監督者の指示、采配にすべて委ねられ、各工種において用いられる建築用資材の発注手配に関しても現場監督者の裁量に委ねられている。【０００４】従って、１つの工種の施工の完了が近付くと、現場監督者の判断に基づき、次に実施する工種の工事に必要な建築用資材の発注手配の要請が、現場監督者から建築工事全般を管理する者（以下、「管理責任者」という。）に告知され、これを受けた管理責任者から、当該建築用資材を供給する業者に対して、かなりの人手を介して発注が行われることになる。
【発明が解決しようとする課題】
【０００５】  しかしながら、上記のような従来技術においては、建築現場の工事を監督する現場監督者は、建築物件ごとに処理しなければならない業務が多量であり、多数の建築物件を管理するとなると、建築用資材の発注の管理が煩雑になるだけでなく、発注上の過誤を生ずることにもなる。特に経験・知識のあるベテランの現場監督者が退職したような場合は、現場が混乱し、経験が浅い現場監督者にあっては、発注ミスを起こすことが少なくない。
【０００６】このような建築用資材の発注手配上の過誤があった場合、誤って発注された資材をそのまま使用すれば、建築依頼者からのクレーム要因になり、発注し直すとすれば、それだけ余分な業務およびコストが必要になるとともに、建築請負契約で約定された工期が遅延して、建築依頼者や後続の施工者からのクレームの要因となる。
【０００７】また現場監督者の管理物件が多く、建築用資材の発注の管理が煩雑であると、これを処理するために深夜にまで及ぶ残業が増え、その結果、残業手当の支払いが増加して経費がかさみ、更には、現場監督者の体調管理の面においても問題を生ずることになる。以上のような解決すべき課題が、従来より行われている建物の建築用資材の発注方法にはあった。
【課題を解決するための手段】
【０００８】  要するに本発明では、建築用資材の発注を、建築工事が真に実施されるべき建築現場において行おうとするものであり、また現に行われていることを確認することが前提要件となる。そこで本発明では、上記課題を解決するために、次のような手段を用いるようにした。
【０００９】即ち、建築工事の現場監督者は、１つの工種の施工に着手するときに、次に実施する工種の施工に必要な建築用資材の発注をする。その場合、現場監督者は、電子メール機能、撮像機能および人工衛星からの電波を受けて地球上の現在位置を測定するシステムであるＧＰＳ機能を有する携帯型の端末手段を所持してこれを用い、まず建築工事の現場においてＧＰＳ機能により時刻情報と工事現場の位置情報を取得する時刻情報及び位置情報が得られたならば、これらの情報と、次に実施する工種に必要な資材（例えば、柱材、屋根材、外壁材、断熱材など）の発注要請を、写真データ分析・発注データ管理サーバに送信する。
ここにおける写真データ分析・発注データ管理サーバは、現場監督者の端末手段からの工事状況を示す写真データを保存して分析すると共に、建築工事の各工種に必要な資材に係る、資材を供給する業者名・資材の種類等の発注データを管理する。
その後、現場監督者は、端末手段が有する撮像機能により、工事現場のジオコードが付加された工事状況を示す写真データを取得して写真データ分析・発注データ管理サーバに送信する。
写真データ分析・発注データ管理サーバは、現場監督者の端末手段から送信された位置情報と、あらかじめ登録された工事現場の位置データとの一致性の有無を判断し、一致性がある場合は、工事の進捗状況等の情報を現場監督者の端末手段に送信し、また現場監督者の端末手段から送信された写真データに付加されたジオコードを分析して現場監督者からの工事現場の位置情報との一致性の有無を判定し、一致性がある場合は、写真データを受け付けて保存する。
これと共に、写真データ分析・発注データ管理サーバは、これにあらかじめに登録されている、当該建築物件の工程表に基づく各工種に必要な資材に係る各業者の中から、次に実施する工種の資材を供給する業者を選択し、これに対して所要の資材を発注する旨の電子メールを送信する。
これを受けた当該業者は写真データ分析・発注データ管理サーバ中の、資材の種類、品番、数量等を示す発注書ファイルを開いて閲覧し、これを確認したならば、了解した旨の電子メールを、写真データ分析・発注データ管理サーバに送信する。
これを受けた写真データ分析・発注データ管理サーバは、現場監督者に対して当該業者からの電子メールを転送するなどして、次に実施する工種に必要な資材の発注がなされ、これを資材の供給業者が了解したことを告知する。
【００１０】以上のような手段を本発明では用いるようにした。なお発注ファイルの内容を確認した資材の供給業者は、発注を受けた資材の建築現場への発送を手配する一方で、現場監督者は、必要に応じて資材の受け入れ準備をすることになる。
【発明の効果】
【００１１】  本発明によれば、次に実施する工種に必要な建築用資材を、人手を介することなく自動的に発注するようにしたことから、建築工事の現場を監督する現場監督者は、建築物件の各工種ごとの施工に使用する資材の発注要請をする必要がなくなる結果、処理しなければならない業務が低減し、その負担が軽減される効果がある。
【００１２】しかも、過誤の発注手配をする可能性がなくなるので、誤って発注された資材をそのまま使用した場合の建築依頼者からのクレームや、発注し直すとした場合の余分な業務およびコストあるいは工期遅廷による建築依頼者や後続の施工者からのクレームの発生を防ぐことが可能となる効果がある。
【００１３】また多数の物件を管理する現場監督者における資材の発注手配が煩雑であることによる人件費増を抑制することが可能となるため、経費を節減することができ、また、現場管理者においても業務が煩雑であることによる体調への悪影響を避けることができる等極めて優れた効果が得られる。
【００１４】更には、当該建築物件の各工種毎の発注ファイルを保存しておくことにより、後に補修工事等を実施する場合は、必要とする資材の品番などを発注ファイルから直ちに確認することができるので、補修工事などに即応することが可能となる効果があり、建物の建築工事において本発明がもたらす効果は、実用上極めて大きい。
【図面の簡単な説明】
【００１５】
【図１】本発明の一実施例を示す構成概念図である。
【図２】図１に示す建築工事の現場監督者が所持する携帯端末の表示画面を説明するための説明図である。
【図３】図２と共に図１に示す建築工事の現場監督者が所持する携帯端末の表示画面を説明するための説明図である。
【図４】図１に示す写真データ分析・発注データ管理サーバ内の写真データを保存するフォルダを説明するための説明図である。
【図５】図１に示す携帯端末、写真データ分析・発注データ管理サーバ及び端末装置の夫々の動作の流れを示すフローチャートである。
【図６】図５と共に図１に示す携帯端末、写真データ分析・発注データ管理サーバ及び端末装置の夫々の動作の流れを示すフローチャートである。
【図７】図５及び図６と共に図１に示す携帯端末、写真データ分析・発注データ管理サーバ及び端末装置の夫々の動作の流れを示すフローチャートである。
【図８】図５、図６及び図７と共に図１に示す携帯端末、写真データ分析・発注データ管理サーバ及び端末装置の夫々の動作の流れを示すフローチャートである。
【発明を実施するための形態】
【００１６】  本発明に係る建物の建築用資材の発注手配システムにおいては、１つの工種の施工に着手するときに、電子メール機能、撮像機能およびＧＰＳ機能を有する携帯端末を所持する現場監督者が、建築工事の現場においてＧＰＳ機能により時刻情報と工事現場の位置情報を取得し、撮像機能により工事現場のジオコードが付加された写真データを取得して、夫々を写真データ分析・発注データ管理サーバに送信する。
写真データ分析・発注データ管理サーバは、現場監督者の携帯端末から送信された位置情報と、あらかじめ登録された工事現場の位置データとの一致性の有無を判定して、一致性がある場合は、工事の進捗状況等の情報を現場監督者の携帯端末に送信し、また現場監督者の携帯端末から送信された写真データに付加されたジオコードを分析して現場監督者からの工事現場の位置情報との一致性の有無を判定して、一致性がある場合は、写真データを受け付けて保存すると共に、あらかじめ登録されている、建築工事において実施される各工種に使用される資材に係る発注データに基づき、次に実施する工種に必要な建築用資材を発注する旨の電子メールを資材の供給業者に送信する。
これを受けた資材の供給業者は、写真データ分析・発注データ管理サーバ内の発注書ファイルを開いて閲覧し、これを確認したならば、了解した旨の電子メールを写真データ分析・発注データ管理サーバに送信する。
これを受けた写真データ分析・発注データ管理サーバは、資材の供給業者からの電子メールを現場監督者に転送する。
以下、本発明を図面に示す実施例に基づいて詳細に説明する。
【実施例１】
【００１７】  本発明の一実施例を、図１により説明する。図１において、建築工事の現場監督者が所持する携帯端末１０には、携帯電話及び簡易型携帯電話であるＰＨＳ（Ｐｅｒｓｏｎａｌ  Ｈａｎｄｙｐｈｏｎｅ  Ｓｙｓｔｅｍ）と、携帯情報端末とを組み合わせた、いわゆるスマートフォンが用いられており、通話機能、電メール機能、撮像機能等の他に、ＧＰＳ機能を備えている。【００１８】写真データ分析・発注データ管理サーバ１００は、携帯端末１０との間でデータを送受信して携帯端末１０から送信された各工種ごとの工事現場の施工状況を示す写真データを分析すると共に、建築物件の各工種ごとに使用する資材に係るデータを登録して管理するように構成されている。【００１９】この写真データ分析発注・データ管理サーバ１００は、（１）工事現場における現場監督者が所持する携帯端末１０から送信された、時刻情報および携帯端末１０が所在する位置を示す情報（以下、「位置情報」という。）を保存し、（２）建築工事の顧客の依頼に係る物件の名称、工事の進捗状況等を示す情報（以下、「顧客情報」という。）を保存し、顧客情報は、写真データ分析・発注データ管理サーバ１００内の図示されていない記憶装置に、データベース（以下、「顧客ＤＢ」という。）として格納し、（３）現場監督者が所持する携帯端末１０から送信された施工現場の写真データに付加された、携帯端末１０が所在する位置データであるジオコード（緯度、経度および高度）と、上記（１）の位置情報との一致性の有無を分析し、（４）各種の工種の施工に必要な資材の種類、品番、数量などの発注データを格納し、これを示す閲覧可能な発注書ファイルを有し、（５）上記（３）の一致性がある場合に、あらかじめ登録されている発注データに基づき、次に実施する工種に使用する資材を発注する旨の電子メールを、各種の資材の供給業者の中から選択された、該当する資材を供給する業者に送信する。【００２０】建築用資材を供給する業者が使用する端末装置３０１〜３０４は、液晶ディスプレイ等の表示部及びキーボードやマウス等の入力部を有するパーソナル・コンピュータが用いられ、インターネット２００に接続されている。ここにおける端末装置３０１は、例えば、柱材を供給する業者によって使用され、端末装置３０２は屋根材を供給する業者によって使用され、端末装置３０３は外壁材を供給する業者によって使用され、端末装置３０４は断熱材を供給する業者によって使用されるものである。【００２１】以上のような構成要素からなる本システムでは、１つの工種の施工に着手するときに、建築工事の現場で工事を監督する現場監督者が、施工現場において携帯端末１０を起動して、図２（ａ）に示すログイン画面を開き、携帯端末１０の個体を識別するための符号であるＩＤ（Ｉｄｅｎｔｉｆｉｃａｔｉｏｎ）、及び暗証番号であるパスワードを入力してログインする。【００２２】ログインしたならば、図２（ｂ）に示すような時刻情報と位置情報とを取得し、これを現時点および現在地を示すデータとして、ＩＤとともに写真データ分析・発注データ管理サーバ１００に送信する。図２（ｂ）では、現時点が２０１０年１２月１日１２時３０分５２秒であり現在地が北緯３５度３２分８．５２秒、東経１３９度４０分２０．４秒である場合が、例として示されている。【００２３】現場監督者からの位置情報を受けた写真データ分析・発注データ管理サーバ１００では、送信者が誰であるかを識別し、送信された時刻情報を受付準備開始時刻とすると共に、写真データ分析・発注データ管理サーバ１００にあらかじめ登録された顧客の注文に係る工事現場の位置を示すデータと、携帯端末１０からの位置情報が一致するか、或いは、位置情報に近似する近似値があるか否かを判定する。これにより、現場監督者が確かに建築工事の現場にいるか否かを確認する。近似値も判断の対象に含めているのは、工事現場は一定の面積を有することから、工事現場の域内であれば、これを許容するためである。【００２４】写真データ分析・発注データ管理サーバ１００にあらかじめ登録された当該工事現場の位置を示すデータと位置情報が一致するか近似する場合は、顧客ＤＢから顧客情報を読み出し、これを現場監督者の携帯端末１０に送信する。【００２５】顧客情報を受けた現場監督者の携帯端末１０の画面には、図２（ｃ）に示すように、工事の進捗、工種、次の段取りの手配等の顧客情報が表示される。そこで、現場監督者は建築工事の各工種ごとに、携帯端末１０の撮像機能を用いて工事現場を撮影する。【００２６】ここで、建築工事の各工種については、これらを時系列で説明した工事マニュアル・ブックが、あらかじめ作成されており、そこでは、高速読み取りが可能なマトリックス型の２次元コードが、各工種に付されている。【００２７】ここにおける２次元コードは、現場写真を撮る前にどの工種を撮影するのかを示すために用いられる。また、この２次元コードには、写真データを写真データ分析・発注データ管理サーバ１００内の写真を保存するフォルダにおける登録先を指示するデータが含まれている。即ち、写真データ分析・発注データ管理サーバ１００内には、図４に示すように、工種ごとに現場写真を順次格納するフォルダが設けられている。【００２８】そこで、現場監督者は、図２（ｄ）に示すように、携帯端末１０により当該工種に付されている２次元コードを読み込んだ後、カメラを起動して各工程毎の現場写真を撮る。この現場写真のデータには、ジオコードが付加される。【００２９】現場写真が撮影されたならば、現場監督者は、図３（ａ）に示すように、現場写真Ａ−１を表示する画面から、写真データを写真データ分析・発注データ管理サーバ１００に送信する。これを受けた写真データ分析・発注データ管理サーバ１００では、図４に示したように、写真を保存するフォルダに写真データを格納して登録する。現場監督者の携帯端末１０においても、図３（ｂ）に示すように、撮影された各工程の現場写真Ａ−１，Ａ−２が登録される。【００３０】なお、写真を保存するフォルダには、図４に示したように、標準工期が登録されており写真データが送信されると、工程進捗のフラグが設定される。一定の期間フラグが設定されない場合は、工事が遅れていると判断して、現場監督者に電子メールによりその旨を告知するようにするとよい。また、写真データが送信されない場合は、図４中の「Ｂ−１／−−−」のように登録され、その後、Ｂ−２の写真データが送信されても受け付けないようになっている。このことを、反転表示した「Ｂ−２／２０１０／９／３０」は示している。【００３１】写真データを受けた写真データ分析・発注データ管理サーバ１００では、写真データに付加されたジオコードを分析し、現場監督者からの位置情報とジオコードとが一致しない場合は、写真データの受付を拒否すると共に、その旨の電子メールを現場監督者の携帯端末１０に送信する。【００３２】現場監督者からの位置情報とジオコードとが一致している場合は、写真データ分析・発注データ管理サーバ１００は、写真データを受け付ける。その場合、写真データを受けた時刻が、受付準備開始時刻から一定の時間（例えば、２分）を経過した後は、写真データの受付を拒否するようにするとよい。また、写真データに付加された撮影時期のデータとあらかじめ建築請負契約で定められた標準工程のスケジュールと比較して工期に遅れがある場合は、その旨の電子メールを現場監督者の携帯端末１０に送信して告知するようにするとよい。【００３３】写真データ分析・発注データ管理サーバ１００が、写真データを受け付けると、あらかじめ登録されている各工種の施工に必要な資材に係る発注データに基づき、次に実施する工種に必要な資材を発注する旨の電子メールを、各種の資材の供給業者の中から選択された、所要資材を供給する業者が使用する端末装置３０１〜３０４に送信する。【００３４】そこで、写真データ分析・発注データ管理サーバ１００からの資材発注の電子メールを受けた業者が、電子メールの本文中にあるＵＲＬ（Ｕｎｉｆｏｒｍ  Ｒｅｓｏｕｒｃｅ  Ｌｏｃａｔｏｒ）をクリックすると、写真データ分析・発注データ管理サーバ１００にある発注書ファイル（ＰＤＦ（Ｐｏｒｔａｂｌｅ  Ｄｏｃｕｍｅｎｔ  Ｆｏｒｍａｔ）ファイル）が示す発注内容を閲覧して、これを確認する。
発注内容を確認すると、資材を供給する業者は、了解した旨の電子メールを写真データ分析・発注データ管理サーバ１００に送信し、これを受けた写真データ分析・発注データ管理サーバ１００は、当該業者からの電子メールを現場監督者に転送して、当該業者が資材の発注を了解した旨を告知する。【００３５】図５において、現場監督者が所持する携帯端末１０、写真データ分析・発注データ管理サーバ１００及び端末装置３０１は、夫々動作を開始しており、現場監督者は、建築工事の工事現場で携帯端末１０を起動して、ログイン画面を開き、ＩＤ及びパスワードを入力してログインする（Ｓ１０１）。【００３６】ログインすると、現場監督者は、携帯端末１０が有するＧＰＳ機能により、時刻情報と位置情報とを取得し（Ｓ１０２）、これを現時点及び現在地を示すデータとして、ＩＤとともに写真データ分析・発注データ管理１００に送信する（Ｓ１０３）。【００３７】現場監督者の携帯端末１０からのＩＤ及び時刻・位置情報の送信を受けた写真データ分析・発注データ管理サーバ１００では、送信された時刻情報を受付準備開始時刻とすると共に、写真データ分析・発注データ管理サーバ１００にあらかじめ登録された顧客の注文に係る工事現場の位置を示すデータと、携帯端末１０からの位置情報が一致するか、或いは位置情報に近似する近似値があるか否かを判定する（Ｓ１０４）。【００３８】携帯端末１０からの位置情報が工事現場の位置を示すデータと一致しないか、或いは位置情報に近似する近似値がないと判定された場合は（Ｓ１０４ＮＯ）、電波状況により完全な位置情報を取得することができない場合もあることから、ステップＳ１０２からの作業を繰り返す。【００３９】ステップＳ１０４において、携帯端末１０からの位置情報が工事現場の位置を示すデータと一致するか、或いは位置情報に近似する近似値があると判定された場合は（Ｓ１０４ＹＥＳ）、写真データ分析・発注データ管理サーバ１００は、顧客ＤＢから顧客情報を読み出し、これを現場監督の携帯端末１０に送信する（Ｓ１０５）。これを受けた現場監督者の携帯端末１０では、工事の進捗、工種、次の段取りの手配などの顧客情報が、画面に表示される（Ｓ１０６）。【００４０】そこで、現場監督者は、携帯端末１０が備えているカメラを起動し（Ｓ１０７（図６））当該工種に付されている２次元コードを読み込んだ上で（Ｓ１０８）、現場写真を撮影する（Ｓ１０９）。【００４１】現場写真が撮影されたならば、現場監督者は、写真データを写真データ分析・発注データ管理サーバ１００に送信し（Ｓ１１０）、これを受けた写真データ分析・発注データ管理サーバ１００では、写真を保存するフォルダに写真データを格納した上で、写真データに付加されているジオコードを分析し（Ｓ１１１）、現場監督者が当初送信して来た位置情報と写真データに付加されたジオコードとが一致するか否かを判定する（Ｓ１１２（図７））。【００４２】現場監督者からの位置情報とジオコードとが一致しない場合は（Ｓ１１２ＮＯ）、写真データの受付を拒否すると共に、その旨の電子メールを現場監督者の携帯端末１０に送信して告知する（Ｓ１１３）。現場監督者の携帯端末１０の画面には不一致である旨が表示される（Ｓ１１４）。【００４３】ステップＳ１１２において、現場監督者からの位置情報とジオコードとが一致する場合は（Ｓ１１２ＹＥＳ）、写真データ分析・発注データ管理サーバ１００は、写真データを受け付ける（Ｓ１１５）。【００４４】写真データ分析・発注データ管理サーバ１００が、写真データを受け付けると、あらかじめ登録されている各種の工種の施工に必要な資材に係る発注データに基づき、次に実施する工種に必要な資材を発注する旨の電子メールを、各種の資材の供給業者の中から選択された、所要資材を供給する業者が使用する端末装置３０１に送信する（Ｓ１１６）。【００４５】所要資材を供給する業者の端末装置３０１が、所要資材を発注する旨の電子メールを受信すると（Ｓ１１７）、当該業者は、電子メールの本文中にあるＵＲＬをクリックして、写真データ分析・発注データ管理サーバ１００にある発注書ファイルが示す発注内容を閲覧する（Ｓ１１８（図８））。【００４６】資材を供給する業者が、発注書ファイルを閲覧することにより発注内容を確認したならば、これを了解した旨の電子メールを写真データ分析・発注データ管理サーバ１００に送信して（Ｓ１１９）、作業が終了する。【００４７】写真データ分析・発注データ管理サーバ１００は、資材を供給する業者からの電子メールを受信すると（Ｓ１２０）、これを現場監督者に転送して（Ｓ１２１）、作業が終了する。【００４８】現場監督者は、写真データ分析・発注データ管理サーバ１００から転送された当該業者のメールを受信して（Ｓ１２２）、当該業者が資材の発注を了解したことを了知して、作業が終了する。【００４９】以上説明した現場監督者が所持する携帯端末１０、写真データ分析・発注データ管理サーバ１００及び建築用資材を供給する業者が使用する端末装置３０１による作業は、１つの工種の施工に着手するごとに、その着手の際に行われる。即ち、１つの工種の施工に着手する際に、図５のステップＳ１０１からの作業を行い、施工に着手してから例えば１月経過後に当該工種の施工が完了して、次の工種の施工に着手する際に、更に次の工種の施工に関して図５のステップＳ１０１からの作業を行うことになる。【００５０】以上のように、本発明においては、現場監督者が、端末手段としてスマートフォンを用いて、その有するＧＰＳ機能、撮像機能及び電子メール機能を使用する場合について説明した。
しかし本発明は、これに限定されるものではない。現場監督者が、ＧＰＳ機能及び送信機能を備えたディジタル・カメラ即ち撮像機能の他にＧＰＳ機能及び送信機能を備えたカメラと、電子メール機能を備えた携帯電話の双方を所持し、時刻情報と工事現場の位置情報及び施工現場の写真データは、ディジタル・カメラにより取得して送信する一方で、写真データ分析・発注データ管理サーバ１００からの情報は、携帯電話により受信するようにする場合も、本発明に含まれるものである。
【符号の説明】
【００５１】  １０  携帯端末
１００  写真データ分析・発注データ管理サーバ
２００  インターネット
３０１
〜
３０４  端末装置
Ｓ  人工衛星
【図１】
2014049106.tif 000003
【図２】
2014049106.tif 000004
【図３】
2014049106.tif 000005
【図４】
2014049106.tif 000006
【図５】
2014049106.tif 000007
【図６】
2014049106.tif 000008
【図７】
2014049106.tif 000009
【図８】
2014049106.tif 000010